(57)【要約】      （修正有）【課題】シートを前後位置調整可能で且つ前方回動可能に取付ける支持部を備えた作業車両の操縦部において、シートの設置高さをよりコンパクトにすることのできる作業車両の操縦部を提供する。【解決手段】オペレータが着座可能な作業車両の操縦部であって、オペレータが着座するシートと、該シートを支持する支持部２６と、該支持部が着脱可能に取付けられる取付部２７とを備え、前記支持部は、前記取付部に着脱可能且つ前後位置調整可能に取付けられる前後調整ブラケット２８ａ、ｂと、該前後調整ブラケットの前寄りを支点２９として前後回動するように該前後調整ブラケットに支持された回動ブラケット３１とを有し、前記支点は、前記前後調整ブラケットにおける取付部に取付けられる被取付部よりも、側面視で前方且つ下方に配置された。【選択図】図５
2019177763.tif 000002
【特許請求の範囲】
【請求項１】
オペレータが着座可能な作業車両の操縦部であって、 
オペレータが着座するシートと、 
該シートを支持する支持部と、 
該支持部が着脱可能に取付けられる取付部とを備え、 
前記支持部は、前記取付部に着脱可能且つ前後位置調整可能に取付けられる前後調整ブラケットと、該前後調整ブラケットの前寄りを支点として前後回動するように該前後調整ブラケットに支持された回動ブラケットとを有し、 
前記支点は、前記前後調整ブラケットにおける取付部に取付けられる被取付部よりも、側面視で前方且つ下方に配置された 
作業車両の操縦部。
【請求項２】
前記被取付部は、前後方向に並べて複数穿設された支持孔と、該支持孔に挿通される固定軸とから構成され、
前記取付部の後部側に、前記前後調整ブラケットの回動を規制する前後方向に長い規制孔が穿設された
請求項１に記載の作業車両の操縦部。
【請求項３】
前記規制孔に挿通される規制軸を少なくとも２つ以上設け、前記規制軸の前後位置を異ならせるように配置した
請求項２に記載の作業車両の操縦部。
【発明の詳細な説明】
【技術分野】
【０００１】
本発明は、座席シートを前後位置調整可能で且つ前後揺動作動可能に取付けることのできる作業車両の操縦部に関する。
【背景技術】
【０００２】
オペレータが着座するシートと、 該シートを支持する支持部と、該支持部が着脱可能に取付けられる取付部とを備え、前記シートは、支持部及び取付部とを介して、前後位置が調整可能で且つ、前方回動可能な構成で走行機体側に取付けられた特許文献１に記載に作業車両が従来公知である。
【０００３】
上記特許文献１によれば、シートの前後位置を調整することによって、作業者の体格によらず操作性を快適に保つことができるとともに、シートの前部側を軸に前方回動させることもできるため、シート回りの清掃等のメンテナンスや、シートの着脱作業をよりスムーズ且つ簡易に行うことができるものである。
【０００４】
しかし、前記支持部は、シートを前後調整可能で且つ前方回動可能な状態で走行機体側に取付支持するように構成したことにより、支持部全体が大型化するとともに、シートを前方回動させた際に支持部全体が回動作動することによって支持部全体の作動範囲が大きくなるため、シートの設置高さも高くなる場合があるという課題があった。
【先行技術文献】
【特許文献】
【０００５】
【特許文献１】特開２０１５−９５２４５号公報
【発明の概要】
【発明が解決しようとする課題】
【０００６】
本発明は、シートを前後位置調整可能で且つ前方回動可能に取付ける支持部を備えた作業車両の操縦部において、シートの設置高さをよりコンパクトにすることのできる作業車両の操縦部を提供することを課題としている。
【課題を解決するための手段】
【０００７】
上記課題を解決するため、本発明は、第１に、オペレータが着座可能な作業車両の操縦部であって、 オペレータが着座するシートと、該シートを支持する支持部と、該支持部が着脱可能に取付けられる取付部とを備え、前記支持部は、前記取付部に着脱可能且つ前後位置調整可能に取付けられる前後調整ブラケットと、該前後調整ブラケットの前寄りを支点として前後回動するように該前後調整ブラケットに支持された回動ブラケットとを有し、前記支点は、前記前後調整ブラケットにおける取付部に取付けられる被取付部よりも、側面視で前方且つ下方に配置されたことを特徴としている。
【０００８】
第２に、前記被取付部は、前後方向に並べて複数穿設された支持孔と、該支持孔に挿通される固定軸とから構成され、前記取付部の後部側に、前記前後調整ブラケットの回動を規制する前後方向に長い規制孔が穿設されたことを特徴としている。
【０００９】
第３に、前記規制孔に挿通される規制軸を少なくとも２つ以上設け、前記規制軸の前後位置を異ならせるように配置したことを特徴としている。
【発明の効果】
【００１０】
前記支持部は、前記前後調整ブラケットと、回動ブラケットとを別体で構成したことにより、シートの前後回動時の支持部の作動範囲をよりコンパクトにすることができるとともに、前記支点軸を、前記被取付部よりも前方且つ下方側に配置することができるため、走行機体側に設置されるシートの設置高さをより低く抑えることができる。これにより、作業車両の重心をより低く保つことができるとともに、例えば、ビニールハウス内を作業走行する場合等においても作業者の作業スペースをより広く確保することができる。
【００１１】
また、前記被取付部は、前後方向に並べて複数穿設された取付孔と、該取付孔に挿通される固定ピンとから構成され、前記取付部の後部側に、前記前後調整ブラケットの回動を規制する前後方向に長い規制孔が穿設されたものによれば、作業者が前記シートに着座した状態で体重移動した場合であっても、シートが前記取付孔に挿通された固定ピンを軸に軸回転することを防止できる。また、規制孔が長孔で形成されたことにより、シートの前後位置調整も許容することができる。
【００１２】
なお、前記規制孔に挿通される規制軸を少なくとも２カ所以上設け、前記規制軸の前後位置を異ならせるように配置したものによれば、シートの前後位置を調整するにあたり、前記取付孔から固定ピンを抜いた場合であっても、シートが回動することを規制することができるため、作業者はシートを支えることなく、固定ピンが取付孔に挿入可能な状態を保ったままシートの前後位置を調整することができる。
【図面の簡単な説明】
【００１３】
【図１】本発明の作業車両を適用したトラクタの全体側面図である。
【図２】座席回りを示した斜視図である。
【図３】座席回りを示した側面図である。
【図４】座席シートの着脱構成を示した要部斜視図である。
【図５】（Ａ）及び（Ｂ）は、シート着脱機構を示した上面斜視図と、底面斜視図である。
【図６】（Ａ）は、前後調整ブラケットの前後位置を前方にスライド調整した状態を示した図であり、（Ｂ）は、前後調整ブラケットの前後位置を後方にスライド調整した状態を示した図である。
【図７】シート着脱機構を示した側面図である。
【図８】（Ａ）乃至（Ｂ）は、別実施例のシート着脱機構を示した正面図、平面図、側面図である。
【発明を実施するための形態】
【００１４】
図１は、本発明の作業車両を適用したトラクタの全体側面図であり、図２及び図３は、座席回りを示した斜視図及び側面図であり、図４は、座席シートの着脱構成を示した要部斜視図である。図示されたトラクタは、左右一対の前輪１，１及び後輪２，２によって支持される機体フレーム３と、該機体フレーム３の前側に載置固定されたエンジン（図示しない）の左右両側部及び上方を開閉自在に覆うボンネット４と、該ボンネット４の後方に設置された操縦部６と、該操縦部６の後方に設置された正面視逆Ｕ字状に形成された安全フレーム７とにより走行機体８が構成されている。該走行機体８の後方には、昇降リンク９を介してロータリ耕運機等の作業機（図示しない）を昇降可能に連結することができるように構成されている。
【００１５】
前記操縦部６は、オペレータが着座する座席（シート）１１と、座席１１の前方側に配置された操向操作具であるステアリングハンドル１２と、座席１１とステアリングハンドル１２との間に設けられた床面であるフロアステップ１３と、前記座席１１の左右一方側（図示する例では左側）に配置された主変速レバー１４と、該主変速レバー１４の後方に配置された副変速レバー１６とを備え、前記フロアステップ１３側には、座席に着座したオペレータが踏込み操作する複数のペダル操作具１７が設けられている。
【００１６】
上記座席１１は、前記フロアステップ１３の後方側に形成された段差部を介して該フロアステップ１３よりも高い位置に設けられた平面である座席設置部１５上に、詳しくは後述するシート着脱機構と、クッション部１９とを介して取付けられている（図１乃至４参照）。該座席１１は、前記シート着脱機構によって、前後位置が調整可能で且つ、座席の下部前側に配置された支点軸を軸に前後回動可能な構成で着脱可能に取付られている。該シート着脱機構の具体的な構成については後述する。
【００１７】
これにより、該座席１１は、前後位置を調整することによって前記座席１１と前記ペダル操作具１７との間の距離を調整できるため、作業者の身長に関わらず各ペダル操作具１７をスムーズに操作できる。また、前記座席１１を走行機体８側に支持した状態で前後回動させることによって、座席１１回りの清掃等のメンテナンスも容易に行うことができる。
【００１８】
前記安全フレーム７は、アーチ状に形成されたロールバー２１と、該ロールバー２１を走行機体８側の座席後方に支持する支持装置２２とを備えている。該安全フレーム７は、前記ロールバー２１が支持装置２２によって前後方向に揺動可能に支持されており、ロールバー２１が起立した作用姿勢と、側面視で後方斜め上方を向いて倒伏した倒伏姿勢（図示しない）とに姿勢切換可能に構成されている。
【００１９】
これにより、該安全フレーム７は、ロールバー２１を倒伏姿勢に切換えることによって、作業車両の収容時や、高さの低いビニールハウス内での作業走行時等に、作業車両の高さを低く抑えることができるため、収容性や作業性が向上する。
【００２０】
次に、図３乃至９に基づき、前記シート着脱機構の具体的な構成について説明する。図５（Ａ）及び（Ｂ）は、シート着脱機構を示した上面斜視図と、底面斜視図であり、図６（Ａ）は、前後調整ブラケットの前後位置を前方にスライド調整した状態を示した図であり、図６（Ｂ）は、前後調整ブラケットの前後位置を後方にスライド調整した状態を示した図であり、図７は、シート着脱機構を示した側面図である。
【００２１】
前記シート着脱機構は、座席１１の下面側にボルト固定される支持ユニット（支持部）２６と、走行機体８側にボルト固定される取付部２７とを備え、該支持ユニット２６が取付部２７側に着脱可能に取付けられることによって、前記座席１１を前後位置調整可能で且つ前後回動可能な構成で走行機体８側に取付けられるように構成されている。
【００２２】
前記取付部２７は、前記座席設置部１５の平面上に着脱可能にボルト固定される板状部材であって、その左右中央前側が開口形成されるとともに上方に向かって屈曲形成されることにより、アングル状のガイド支持部４１，４１が左右一対形成されている（図４乃至６参照）。
【００２３】
各ガイド支持部４１には、支持ユニット２６を支持する左右方向の固定軸（固定ピン）４２が挿脱される取付孔４３と、該取付孔４３の後方側に形成された前後方向の長孔である規制孔４４とが穿設されている。
【００２４】
前記支持ユニット２６は、一対の前記ガイド支持部間４１，４１に前後方向にスライド移動可能に取付けられる前後調整ブラケット２８と、該前後調整ブラケット２８の前端側に設けられた左右方向の支点軸（支点）２９と、該支点軸２９を軸に前後回動可能に支持されて座席１１の前部下面側と連結される回動ブラケット３１とから構成されている。
【００２５】
上記前後調整ブラケット２８は、上方が開放されて断面がコ字状に形成された板状部材であって、底板部２８ａと該底板部２８ａの左右の両側を上方に屈曲形成した側壁部２８ｂ，２８ｂとを有している。左右一対の該側壁部２８ｂには、前記固定軸４２が挿脱される支持孔（被取付部）３２が前後方向に並べて複数（図示する例では３つ）穿設されており、該側壁部２８ｂの支持孔３２の後方には、後述する規制ボルト（規制軸）３３が着脱可能に設けられている。
【００２６】
これにより、前記支持ユニット２６は、前後調整ブラケット２８が前記取付部２７の一対のガイド支持部間４１，４１に配置されることによって、前後方向にスライド移動（摺動）するようにガイドされ、前記固定軸４２を、前記支持孔３２と、前記取付孔４３とに挿通させることによって、支持ユニット２６（前後調整ブラケット２８）を、取付部２７側に着脱可能に取付けることができる。
【００２７】
また、前記前後調整ブラケット２８は、両側壁部２８ｂ側の前記規制ボルト３３，３３が、取付部２７の各ガイド支持部４１に形成された前記規制孔４４，４４にそれぞれ挿通されることにより、前後調整ブラケット２８の後部側もガイド支持部４１側に係止されている。これにより、前記座席１１（支持ユニット２６）は、前記固定軸４２と、前記規制ボルト３３によって、側面視で前後２カ所（平面視で前後左右の計４カ所）で座席設置部１５（取付部２７）側に支持されるため、座席１１上の作業者が体重移動した場合等であっても座席１１が傾くことなくより安定した状態で強固に取付けることができる。
【００２８】
さらに、該支持ユニット２６は、前後調整ブラケット２８（側壁部２８ｂ）側の支持孔３２が前後方向に複数（図示する例では３つ）並べて形成されているため、座席１１の前後位置を一対のガイド支持部４１，４１に沿って調整して、ガイド支持部４１側の前記取付孔４２とともに前記固定軸４２が挿通される支持孔３２を変更することにより、座席１１（支持ユニット２６）が固定される前後位置を複数段階で調整することができる。
【００２９】
このとき、前記規制孔４４は前後方向に長く形成されているため、前記座席１１の前後位置調整可能な範囲外への前後スライド移動を規制することができるとともに、座席１１の前後位置を調整する際に、座席１１全体を持ち上げて固定軸４２が挿通される支持孔３２と取付孔４３との上下位置を調整する作業が必要なくなるため、座席１１の前後位置調整の操作が容易になる。
【００３０】
ちなみに、前記支持ブラケット２６（前後調整ブラケット２９）の下面側と、前記座席設置部１５（又は取付部２７）の間の空間にはスペーサ２０が設けられており、該スペーサ２０によって、シート着脱機構側から前記固定軸４２を取外した場合であっても、支持ユニット２６が規制ボルト３３を軸に座席１１の重さで回動することを防止できるため、座席１１の前後位置調整の操作をよりスムーズに行うことができる。
【００３１】
上記支点軸２９は、前後調整ブラケット２８の前端側に取付支持された左右方向の軸部材であって、筒状の軸支持体３４の軸芯側に支持されており、前後調整ブラケット２８の左右幅よりも長く形成されている。
【００３２】
ちなみに、該軸支持体３４は、前後調整ブラケット２８前端の下部側に寄せて設けられており、前記支点軸２９は、側面視で前記支持孔３２よりも前方且つ下方側に配置されるように構成されている（図３等参照）。
【００３３】
上記回動ブラケット３１は、左右両端側がコ字状に屈曲形成されて前記支点軸２９回りに回動可能に取付けられる回転体３６と、該回転体３６に取付固定されて前記座席１１の前部底面側とボルト固定される固定板３７とを有し、座席１１の前部下面側を前記支点軸２９回りに前後回動可能に取付けることができるように構成されている（図６等参照）。
【００３４】
これにより、前記支持ユニット２６は、取付部２７側で前後方向にスライド移動する前後調整ブラケット２８と、座席１１を回動させる回動ブラケット３１とを別体で構成されている。すなわち、前記座席１１は、支点軸２９回りに前方回動させる場合、前記支持ユニット２６は、前記前後調整ブラケット２９は回動作動されず、該前後調整ブラケット２８前方の前記回動ブラケット３１のみが支点軸２９回りに回動作動するため、座席１１を前後回動させる際の支持ユニット２６全体の作動範囲をよりコンパクトに構成できる。
【００３５】
さらに、前記回動ブラケット３１は、前後調整ブラケット２８側の前方側で且つ取付孔３２よりも低い位置に設けた前記支点軸２９回りに回動作動するため、座席１１の設置位置をより低く構成することができるとともに、座席１１を回動作動させる際に支持ユニット２６が座席設置部１５側に干渉し難くなり、座席１１の可動範囲をより広く構成することができる。
【００３６】
次に、図８に基づいて、前記シート着脱機構の別実施例について、前記シート着脱機構と異なる点について説明する。図８（Ａ）乃至（Ｂ）は、別実施例のシート着脱機構を示した正面図、平面図、側面図である。
【００３７】
前後調整ブラケット２８は、前記底板部２８ａの左右両側に一対の側壁部２８ｂ，２８ｂが形成されており、各側壁部２８ｂ，２８ｂの前部側には、前記固定軸４２が挿脱される支持孔３２，３２が前後方向に並べて複数穿設され、各側壁部２８ｂ，２８ｂの後部側には、前記規制ボルト３３Ｌ，３３Ｒが着脱可能に設けられている。
【００３８】
このとき、前記規制ボルト３３Ｌ，３３Ｒは、側面視で前後位置が異なるように配置された状態で、何れも取付部２７（支持ガイド部４１）側の規制孔４４に挿通されるように構成されている（図８（Ｂ）参照）。
【００３９】
該構成によれば、座席１１の前後位置を調整するにあたり、前記シート着脱機構（支持孔３２及び取付孔４３）から固定軸４２を抜いた場合であっても、作業者が座席１１を支えなくても座席１１の前端側が自重によって規制軸３３回りに回動することを確実に防止することができるため、座席１１の前後位置調整をよりスムーズに行うことができる。
【符号の説明】
【００４０】
１１    座席（シート）
２６    支持ユニット（支持部）
２７    取付部
２８    前後調整ブラケット
２９    支点軸（支点）
３１    回動ブラケット
３２    支持孔（被取付部）
３３    規制ボルト（規制軸）
４２    固定軸（固定ピン）
４４    規制孔
【図１】
2019177763.tif 000003
【図２】
2019177763.tif 000004
【図３】
2019177763.tif 000005
【図４】
2019177763.tif 000006
【図５】
2019177763.tif 000007
【図６】
2019177763.tif 000008
【図７】
2019177763.tif 000009
【図８】
2019177763.tif 000010
【手続補正書】
【提出日】平成30年3月30日(2018.3.30)
【手続補正１】
【補正対象書類名】特許請求の範囲
【補正対象項目名】請求項２
【補正方法】変更
【補正の内容】
【請求項２】
前記被取付部は、前後方向に並べて複数穿設された支持孔と、該支持孔に挿通される固定軸とから構成され、
前記取付部の後部側に、前記前後調整ブラケットの回動を規制する前後方向に長い規制孔が穿設された
請求項１に記載の作業車両の操縦部。